【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
ＡＣ電力を受け取るように結合可能な複数の発光ダイオードに電力を供給する方法であって、
前記複数の発光ダイオードは直列に結合され、かつ発光ダイオードの複数のセグメントを形成し、発光ダイオードの各セグメントは１つまたは複数の発光ダイオードを備え、発光ダイオードの前記複数のセグメントは直列に結合され、かつ、発光ダイオードの選択されたセグメントを直列発光ダイオード電流経路に含められるように切り替えるかあるいは前記直列発光ダイオード電流経路から除外されるように切り替えるように、対応する複数のスイッチに結合され、
ＡＣ電圧間隔の第１の部分の間に第１のパラメータに応答して、第２のパラメータの値を求めて記憶し、発光ダイオードの対応するセグメントを前記直列発光ダイオード電流経路に含められるように切り替えることと、
前記ＡＣ電圧間隔の第２の部分の間、第２のパラメータを監視し、前記第２のパラメータの現在の値が前記第２のパラメータの前記記憶されている値と実質的に等しいことに応答して、発光ダイオードの前記対応するセグメントを前記直列発光ダイオード電流経路から除外されるように切り替えることとを含む方法。
【請求項２】
前記ＡＣ電圧は整流ＡＣ電圧を含み、前記方法は、
前記整流ＡＣ電圧が実質的に零に近い時点を判定することをさらに含む、請求項１に記載の方法。
【請求項３】
前記整流ＡＣ電圧が実質的に零に近い時点を判定することによって前記ＡＣ電圧間隔を求めることをさらに含む、請求項２に記載の方法。
【請求項４】
前記ＡＣ電圧間隔の前記第１の部分用の発光ダイオードのセグメントの数に対応する第１の複数の時間間隔を求めることと、
前記ＡＣ電圧間隔の前記第２の部分用の発光ダイオードのセグメントの数に対応する第２の複数の時間間隔を求めることとをさらに含む、請求項３に記載の方法。
【請求項５】
前記ＡＣ電圧間隔の前記第１の部分の間に、前記第１の複数の時間間隔の各時間間隔が満了したときに、発光ダイオードの次のセグメントを前記直列発光ダイオード電流経路に含められるように切り替えることと、
前記ＡＣ電圧間隔の前記第２の部分の間に、前記第２の複数の時間間隔の各時間間隔が満了したときに、逆の順序で、発光ダイオードの前記次のセグメントを前記直列発光ダイオード電流経路から除外されるように切り替えることとをさらに含む、請求項４に記載の方法。
【請求項６】
前記第１のパラメータおよび前記第２のパラメータは、時間パラメータ、時間間隔、または時間ベースのパラメータ、またはクロック・サイクル・カウントの少なくとも１つである、請求項１に記載の方法。
【請求項７】
前記ＡＣ電圧を整流して整流ＡＣ電圧を生成することをさらに含む、請求項１に記載の方法。
【請求項８】
前記第１のパラメータは発光ダイオード電流レベルであり、前記第２のパラメータは整流ＡＣ入力電圧レベルである、請求項７に記載の方法。
【請求項９】
発光ダイオード電流レベルが前記ＡＣ電圧間隔の前記第１の部分の間に所定のピーク値に達したことに応答して、前記整流ＡＣ入力電圧レベルの第１の値を求めて記憶し、発光ダイオードの第１のセグメントを前記直列発光ダイオード電流経路に含められるように切り替えることと、
前記発光ダイオード電流レベルを監視することと、
その後、前記発光ダイオード電流レベルが前記ＡＣ電圧間隔の前記第１の部分の間に前記所定のピーク値に達したことに応答して、前記整流ＡＣ入力電圧レベルの第２の値を求めて記憶し、発光ダイオードの第２のセグメントを前記直列発光ダイオード電流経路に含められるように切り替えることとをさらに含む、請求項８に記載の方法。
【請求項１０】
前記整流ＡＣ入力電圧レベルを監視することと、
前記整流ＡＣ入力電圧レベルが、前記ＡＣ電圧間隔の前記第２の部分の間に前記第２の値に達したことに応答して、発光ダイオードの前記第２のセグメントを前記直列発光ダイオード電流経路から除外されるように切り替えることと、
前記整流ＡＣ入力電圧レベルが、前記ＡＣ電圧間隔の前記第２の部分の間に前記第１の値に達したことに応答して、発光ダイオードの前記第１のセグメントを前記直列発光ダイオード電流経路から除外されるように切り替えることとさらに含む、請求項９に記載の方法。
【請求項１１】
前記ＡＣ電圧間隔の前記第１の部分の間に、発光ダイオード電流レベルが連続的に所定のピーク値に達したことに応答して、前記整流ＡＣ入力電圧レベルの対応する値を求めて記憶し、かつ発光ダイオードの対応するセグメントを前記直列発光ダイオード電流経路に含められるように連続的に切り替えることと、
前記ＡＣ電圧間隔の前記第２の部分の間に、前記整流ＡＣ入力電圧レベルが対応する電圧レベルまで低下したことに応答して、発光ダイオードの前記対応するセグメントを前記直列発光ダイオード電流経路から除外されるように切り替えることとをさらに含む、請求項８に記載の方法。
【請求項１２】
発光ダイオードの前記対応するセグメントを前記直列発光ダイオード電流経路から除外されるように切り替えることは、発光ダイオードの対応するセグメントを前記直列発光ダイオード電流経路に含められるように連続的に切り替えることと逆の順序で行われる、請求項１１に記載の方法。
【請求項１３】
発光ダイオード電流レベルが前記ＡＣ電圧間隔の前記第１の部分の間に所定のピーク値に達したことに応答して、前記整流ＡＣ入力電圧レベルの第１の値を求めて記憶することと、
前記整流ＡＣ入力電圧レベルの前記第１の値が実質的に所定の電圧しきい値以上であることに応答して、発光ダイオードの前記対応するセグメントを前記直列発光ダイオード電流経路に含められるように切り替えることとをさらに含む、請求項８に記載の方法。
【請求項１４】
前記ＡＣ電圧が位相変調されているかどうかを判定することをさらに含む、請求項１に記載の方法。
【請求項１５】
前記ＡＣ電圧が位相変調されていることに応答して、位相変調されたＡＣ電圧レベルに対応する発光ダイオードのセグメントを前記直列発光ダイオード電流経路に含められるように切り替えることをさらに含む、請求項１４に記載の方法。
【請求項１６】
前記ＡＣ電圧が位相変調されていることに応答して、前記位相変調されたＡＣ電圧の時間間隔に対応する発光ダイオードのセグメントを前記直列発光ダイオード電流経路に含められるように切り替えることをさらに含む、請求項１４に記載の方法。
【請求項１７】
前記ＡＣ電圧が位相変調されていることに応答して、発光ダイオードの次のセグメントを第２のスイッチによって前記直列発光ダイオード電流経路に含められるように切り替えるのと同時に第１のスイッチによって並列発光ダイオード電流経路を維持することをさらに含む、請求項１４に記載の方法。
【請求項１８】
発光ダイオードの次のセグメントを前記直列発光ダイオード電流経路に含められるように切り替えた場合に発光ダイオード電流レベルが所定のピーク値に達するのに十分な時間が前記ＡＣ電圧間隔の前記第１の部分に残っているかどうかを判定することをさらに含む、請求項１に記載の方法。
【請求項１９】
前記発光ダイオード電流レベルが前記所定のピーク値に達するのに十分な時間が前記ＡＣ電圧間隔の前記第１の部分に残っていることに応答して、発光ダイオードの前記次のセグメントを前記直列発光ダイオード電流経路に含められるように切り替えることをさらに含む、請求項１８に記載の方法。
【請求項２０】
前記発光ダイオード電流レベルが前記所定のピーク値に達するのに十分な時間が前記ＡＣ電圧間隔の前記第１の部分に残っていないときに、発光ダイオードの前記次のセグメントを前記直列発光ダイオード電流経路に含められるように切り替えるのを控えることをさらに含む、請求項１８に記載の方法。
【請求項２１】
発光ダイオード電流レベルを監視することと、
前記ＡＣ電圧間隔の前記第２の部分の間に、前記発光ダイオード電流レベルが所定のピーク値よりも所定のマージンだけ高いことに応答して、前記第２のパラメータの新しい値を求めて記憶し、発光ダイオードの前記対応するセグメントを前記直列発光ダイオード電流経路に含められるように切り替えることとをさらに含む、請求項１に記載の方法。
【請求項２２】
発光ダイオードの第１の複数のセグメントを第１の直列発光ダイオード電流経路を形成するように切り替えることと、
発光ダイオードの第２の複数のセグメントを、前記第１の直列発光ダイオード電流経路に並列に第２の直列発光ダイオード電流経路を形成するように切り替えることとをさらに含む、請求項１に記載の方法。
【請求項２３】
前記直列発光ダイオード電流経路は、第１直列発光ダイオード電流経路であって、
前記ＡＣ電圧間隔の第３の部分の間に、発光ダイオードの第２の複数のセグメントを、前記ＡＣ電圧間隔の前記第１の部分に形成される前記第１の直列発光ダイオード電流経路とは逆の極性を有する第２の直列発光ダイオード電流経路を形成するように切り替えることと、
前記ＡＣ電圧間隔の第４の部分の間に、発光ダイオードの前記第２の複数のセグメントを前記第２の直列発光ダイオード電流経路から除外されるように切り替えることとをさらに含む、請求項１に記載の方法。
【請求項２４】
発光ダイオードの前記複数のセグメントのうちの発光ダイオードの選択されたセグメントはそれぞれ、異なる色または波長の発光スペクトルを有する発光ダイオードを備える、請求項１に記載の方法。
【請求項２５】
発光ダイオードの前記選択されたセグメントを選択的に前記直列発光ダイオード電流経路に含められるように切り替えて、対応する照明効果を実現することをさらに含む、請求項２４に記載の方法。
【請求項２６】
発光ダイオードの前記選択されたセグメントを選択的に前記直列発光ダイオード電流経路に含められるように切り替えて、対応する色温度を実現することをさらに含む、請求項２４に記載の方法。
【請求項２７】
ＡＣ電圧を受け取るように結合可能な装置であって、
整流ＡＣ電圧を生成するように構成された整流器と、
直列に結合された複数の発光ダイオードであって、前記複数の発光ダイオードは、直列に結合された発光ダイオードの複数のセグメントを形成し、発光ダイオードの前記複数のセグメントは直列に結合される、複数の発光ダイオードと、
発光ダイオードの前記複数のセグメントに対応して結合され、かつ、発光ダイオードの選択されたセグメントを直列発光ダイオード電流経路に含められるように切り替えるかあるいは前記直列発光ダイオード電流経路から除外されるように切り替えるように構成された複数のスイッチと、
発光ダイオード電流レベルを検知するように構成された電流センサと、
整流ＡＣ電圧レベルを検知するように構成された電圧センサと、
複数のパラメータを記憶するように構成されたメモリと、
前記複数のスイッチ、前記メモリ、前記電流センサ、および前記電圧センサに結合されたコントローラであって、整流ＡＣ電圧間隔の第１の部分の間に、前記発光ダイオード電流レベルが所定のピーク発光ダイオード電流レベルに達したことに応答して、前記整流ＡＣ電圧レベルの対応する値を求めてメモリに記憶し、発光ダイオードの対応するセグメントを前記直列発光ダイオード電流経路に含められるように切り替え、かつ、前記整流ＡＣ電圧間隔の第２の部分の間、前記整流ＡＣ電圧レベルを監視し、前記整流ＡＣ電圧レベルの現在の値が前記整流ＡＣ電圧レベルの記憶されている対応する値に実質的に等しくなったことに応答して、発光ダイオードの前記対応するセグメントを前記直列発光ダイオード電流経路から除外されるように切り替えるように構成された、コントローラとを備える装置。
【請求項２８】
前記コントローラはさらに、前記整流ＡＣ電圧レベルが実質的に零に近いことに応答して、対応する同期信号を生成するように構成される、請求項２７に記載の装置。
【請求項２９】
前記コントローラはさらに、前記整流ＡＣ電圧レベルが実質的に零に近いことを判定することによって前記整流ＡＣ電圧間隔を求める、請求項２７に記載の装置。
【請求項３０】
前記コントローラはさらに、前記ＡＣ電圧間隔の前記第１の部分の間に前記発光ダイオード電流レベルが前記所定のピーク発光ダイオード電流レベルに達したことに応答して、前記整流ＡＣ電圧レベルの第１の値を求めて前記メモリに記憶し、発光ダイオードの第１のセグメントを前記直列発光ダイオード電流経路に含められるように切り替え、前記発光ダイオード電流レベルを監視し、かつ、その後、前記発光ダイオード電流レベルが、前記ＡＣ電圧間隔の前記第１の部分の間に前記所定のピーク発光ダイオード電流レベルに達したことに応答して、前記整流ＡＣ電圧レベルの第２の値を求めて前記メモリに記憶し、発光ダイオードの第２のセグメントを前記直列発光ダイオード電流経路に含められるように切り替えるように構成される、請求項２７に記載の装置。
【請求項３１】
前記コントローラはさらに、前記整流ＡＣ電圧レベルを監視し、前記整流ＡＣ電圧レベルが前記ＡＣ電圧間隔の前記第２の部分の間に前記記憶されている第２の値に達したことに応答して、発光ダイオードの前記第２のセグメントを前記直列発光ダイオード電流経路から除外されるように切り替え、かつ、前記整流ＡＣ電圧レベルが前記ＡＣ電圧間隔の前記第２の部分の間に前記記憶されている第１の値に達したことに応答して、発光ダイオードの前記第１のセグメントを前記直列発光ダイオード電流経路から除外されるように切り替えるように構成される、請求項３０に記載の装置。
【請求項３２】
前記コントローラはさらに、前記発光ダイオード電流レベルを監視し、前記発光ダイオード電流レベルがＡＣ電圧間隔の前記第１の部分の間に再び前記所定のピーク発光ダイオード電流レベルに達したことに応答して、前記整流ＡＣ電圧レベルの対応する次の値を求めて前記メモリに記憶し、発光ダイオードの次のセグメントを前記直列発光ダイオード電流経路に含められるように切り替えるように構成される、請求項２７に記載の装置。
【請求項３３】
前記コントローラはさらに、前記整流ＡＣ電圧レベルを監視し、前記整流ＡＣ電圧レベルが前記ＡＣ電圧間隔の前記第２の部分の間に前記次の整流ＡＣ電圧レベルに達したことに応答して、発光ダイオードの前記対応する次のセグメントを前記直列発光ダイオード電流経路から除外されるように切り替えるように構成される、請求項３２に記載の装置。
【請求項３４】
前記コントローラはさらに、前記ＡＣ電圧間隔の前記第１の部分の間に、前記発光ダイオード電流レベルが前記所定のピーク発光ダイオード電流レベルに達したことに応答して、前記整流ＡＣ電圧レベルの対応する値を求めて記憶し、発光ダイオードの対応するセグメントを前記直列発光ダイオード電流経路に含められるように連続的に切り替え、かつ、前記ＡＣ電圧間隔の前記第２の部分の間に、前記整流ＡＣ電圧レベルが対応する値まで低下したことに応答して、発光ダイオードの前記対応するセグメントを前記直列発光ダイオード電流経路から除外されるように切り替えるように構成される、請求項２７に記載の装置。
【請求項３５】
前記コントローラはさらに、発光ダイオードの前記対応するセグメントを前記直列発光ダイオード電流経路から除外されるように切り替えることを、発光ダイオードの前記対応するセグメントを前記直列発光ダイオード電流経路に含められるように切り替えることと逆の順序で行うように構成される、請求項３４に記載の装置。
【請求項３６】
前記コントローラはさらに、前記整流ＡＣ電圧が位相変調されているかどうかを判定するように構成される、請求項２７に記載の装置。
【請求項３７】
前記整流ＡＣ電圧が位相変調されていることに応答して、前記コントローラはさらに、前記整流ＡＣ電圧レベルに対応する発光ダイオードのセグメントを前記直列発光ダイオード電流経路に含められるように切り替えるように構成される、請求項３６に記載の装置。
【請求項３８】
前記整流ＡＣ電圧が位相変調されていることに応答して、前記コントローラはさらに、前記整流ＡＣ電圧レベルの時間間隔に対応する発光ダイオードのセグメントを前記直列発光ダイオード電流経路に含められるように切り替えるように構成される、請求項３６に記載の装置。
【請求項３９】
前記整流ＡＣ電圧が位相変調されていることに応答して、前記コントローラはさらに、発光ダイオードの次のセグメントを第２のスイッチによって前記直列発光ダイオード電流経路に含められるように切り替えるのと同時に第１のスイッチによって並列発光ダイオード電流経路を維持するように構成される、請求項３６に記載の装置。
【請求項４０】
前記コントローラはさらに、発光ダイオードの次のセグメントを前記直列発光ダイオード電流経路に含められるように切り替えた場合に前記発光ダイオード電流レベルが前記所定のピーク発光ダイオード電流レベルに達するのに十分な時間が前記ＡＣ電圧間隔の前記第１の部分に残っているかどうかを判定するように構成される、請求項２７に記載の装置。
【請求項４１】
前記コントローラはさらに、前記発光ダイオード電流レベルが前記所定のピーク発光ダイオード電流レベルに達するのに十分な時間が前記ＡＣ電圧間隔の前記第１の部分に残っていることに応答して、発光ダイオードの前記次のセグメントを前記直列発光ダイオード電流経路に含められるように切り替え、かつ前記発光ダイオード電流レベルが前記所定のピーク発光ダイオード電流レベルに達するのに十分な時間が前記ＡＣ電圧間隔の前記第１の部分に残っていないことに応答して、発光ダイオードの前記次のセグメントを前記直列発光ダイオード電流経路に含められるように切り替えないように構成される、請求項４０に記載の装置。
【請求項４２】
前記コントローラはさらに、発光ダイオード電流レベルを監視し、前記ＡＣ電圧間隔の前記第２の部分の間に、前記発光ダイオード電流レベルが所定のピーク・レベルよりも所定のマージンだけ高いことに応答して、前記整流ＡＣ電圧レベルの対応する他の値を求めて記憶し、発光ダイオードの前記対応するセグメントを前記直列発光ダイオード電流経路に含められるように切り替えるように構成される、請求項２７に記載の装置。
【請求項４３】
前記コントローラはさらに、発光ダイオードの第１の複数のセグメントを第１の直列発光ダイオード電流経路を形成するように切り替え、発光ダイオードの第２の複数のセグメントを、前記第１の直列発光ダイオード電流経路に並列に第２の直列発光ダイオード電流経路を形成するように切り替えるように構成される、請求項２７に記載の装置。
【請求項４４】
発光ダイオードの前記複数のセグメントのうちの発光ダイオードの選択されたセグメントはそれぞれ、異なる色または波長の発光スペクトルを有する発光ダイオードを備える、請求項２７に記載の装置。
【請求項４５】
前記コントローラはさらに、発光ダイオードの前記選択されたセグメントを対応する照明効果を実現するように選択的に前記直列発光ダイオード電流経路に含められるように切り替えるように構成される、請求項４４に記載の装置。
【請求項４６】
前記コントローラはさらに、発光ダイオードの前記選択されたセグメントを対応する色温度を実現するように選択的に前記直列発光ダイオード電流経路に含められるように切り替えるように構成される、請求項４４に記載の装置。
【請求項４７】
ＡＣ電圧を受け取るように結合可能な装置であって、
直列に結合された第１の複数の発光ダイオードであって、前記第１の複数の発光ダイオードは、直列に結合された発光ダイオードの第１の複数のセグメントを形成し、発光ダイオードの前記第１の複数のセグメントは直列に結合される、第１の複数の発光ダイオードと、
制御信号に応答して、発光ダイオードの選択されたセグメントを第１の直列発光ダイオード電流経路に含められるように切り替えるかあるいは前記第１の直列発光ダイオード電流経路から除外されるように切り替えるように発光ダイオードの前記第１の複数のセグメントに結合された第１の複数のスイッチと、
メモリと、
前記第１の複数のスイッチおよび前記メモリに結合され、第１のパラメータに応答して、ＡＣ電圧間隔の第１の部分の間に、第２のパラメータの値を求めて前記メモリに記憶し、第１の制御信号を生成して発光ダイオードの前記第１の複数のセグメントのうちの発光ダイオードの対応するセグメントを前記第１の直列発光ダイオード電流経路に含められるように切り替え、前記ＡＣ電圧間隔の第２の部分の間に、前記第２のパラメータの現在の値が実質的に前記第２のパラメータの前記記憶されている値と等しいことに応答して、第２の制御信号を生成して発光ダイオードの前記第１の複数のセグメントのうちの発光ダイオードの対応するセグメントを前記第１の直列発光ダイオード電流経路から除外されるように切り替えるように構成されるコントローラとを備える装置。
【請求項４８】
前記第１のパラメータおよび前記第２のパラメータは、時間パラメータ、時間間隔、時間ベースのパラメータ、クロック・サイクル・カウントの少なくとも１つを含む、請求項４７に記載の装置。
【請求項４９】
前記コントローラはさらに、前記ＡＣ電圧間隔の前記第１の部分用の発光ダイオードの前記第１の複数のセグメントのうちの発光ダイオードのセグメントの数に対応する第１の複数の時間間隔、および前記ＡＣ電圧間隔の前記第２の部分用の発光ダイオードのセグメントの数に対応する第２の複数の時間間隔を求めるように構成される、請求項４８に記載の装置。
【請求項５０】
前記コントローラはさらに、前記ＡＣ電圧間隔の前記第１の部分用の発光ダイオードの前記第１の複数のセグメントのうちの発光ダイオードのセグメントの数に対応する第１の複数の時間間隔、および前記ＡＣ電圧間隔の前記第２の部分用の発光ダイオードのセグメントの数に対応する第２の複数の時間間隔を前記メモリから取り込むように構成される、請求項４８に記載の装置。
【請求項５１】
前記コントローラはさらに、前記ＡＣ電圧間隔の前記第１の部分の間に、前記第１の複数の時間間隔の各時間間隔が満了したときに、対応する制御信号を生成して発光ダイオードの次のセグメントを前記直列発光ダイオード電流経路に含められるように切り替え、前記ＡＣ電圧間隔の前記第２の部分の間に、前記第２の複数の時間間隔の各時間間隔が満了したときに、逆の順序で、対応する制御信号を生成して発光ダイオードの前記次のセグメントを前記直列発光ダイオード電流経路から除外されるように切り替えるように構成される、請求項５０に記載の装置。
【請求項５２】
整流ＡＣ電圧を生成するように構成された整流器をさらに備える、請求項４７に記載の装置。
【請求項５３】
前記コントローラはさらに、前記整流ＡＣ電圧が実質的に零に近いことを判定することによって前記ＡＣ電圧間隔を求めるように構成される、請求項５２に記載の装置。
【請求項５４】
前記コントローラに結合された電流センサと、
前記コントローラに結合された電圧センサとをさらに備える、請求項４７に記載の装置。
【請求項５５】
前記第１のパラメータは発光ダイオード電流レベルであり、前記第２のパラメータは整流ＡＣ電圧レベルである、請求項５４に記載の装置。
【請求項５６】
前記コントローラはさらに、発光ダイオード電流レベルが前記ＡＣ電圧間隔の前記第１の部分の間に所定のピーク値に達したことに応答して、前記整流ＡＣ電圧レベルの第１の値を求めて前記メモリに記憶し、前記第１の制御信号を生成して発光ダイオードの前記第１の複数のセグメントのうちの第１のセグメントを前記第１の直列発光ダイオード電流経路に含められるように切り替え、その後、前記発光ダイオード電流が前記ＡＣ電圧間隔の前記第１の部分の間に前記所定のピーク値に達したことに応答して、前記整流ＡＣ電圧レベルの次の値を求めて前記メモリに記憶し、次の制御信号を生成して発光ダイオードの前記第１の複数のセグメントのうちの次のセグメントを前記第１の直列発光ダイオード電流経路に含められるように切り替えるように構成される、請求項５５に記載の装置。
【請求項５７】
前記コントローラはさらに、前記整流ＡＣ電圧レベルが前記ＡＣ電圧間隔の前記第２の部分の間に前記次の値に達したことに応答して、他の制御信号を生成して前記次のセグメントを前記第１の直列発光ダイオード電流経路から除外されるように切り替え、かつ前記整流ＡＣ電圧レベルが前記ＡＣ電圧間隔の前記第２の部分の間に前記第１の値に達したことに応答して、前記第２の制御信号を生成して前記第１のセグメントを前記第１の直列発光ダイオード電流経路から除外されるように切り替えるように構成される、請求項５６に記載の装置。
【請求項５８】
前記コントローラはさらに、前記ＡＣ電圧間隔の前記第１の部分の間に、発光ダイオード電流レベルが連続的に所定のピーク・レベルに達したことに応答して、前記整流ＡＣ電圧レベルの対応する値を求めて記憶し、対応する制御信号を連続的に生成して発光ダイオードの前記第１の複数のセグメントのうちの対応するセグメントを前記第１の直列発光ダイオード電流経路に含められるように切り替え、かつ前記ＡＣ電圧間隔の前記第２の部分の間に、前記整流ＡＣ電圧レベルが対応する電圧レベルまで低下したことに応答して、対応する制御信号を連続的に生成して発光ダイオードの前記第１の複数のセグメントのうちの前記対応するセグメントを前記第１の直列発光ダイオード電流経路から除外されるように切り替えるように構成される、請求項５５に記載の装置。
【請求項５９】
前記コントローラはさらに、対応する制御信号を連続的に生成して、前記対応するセグメントを前記第１の直列発光ダイオード電流経路に含められるように切り替えるのと逆の順序で前記対応するセグメントを前記第１の直列発光ダイオード電流経路から除外されるように切り替えるように構成される、請求項５８に記載の装置。
【請求項６０】
前記コントローラはさらに、前記ＡＣ電圧が位相変調されているかどうかを判定するように構成される、請求項４７に記載の装置。
【請求項６１】
前記ＡＣ電圧が位相変調されていることに応答して、前記コントローラはさらに、対応する制御信号を生成して、発光ダイオードの前記第１の複数のセグメントのうちの位相変調されたＡＣ電圧レベルに対応するセグメントを、前記第１の直列発光ダイオード電流経路に含められるように切り替えるように構成される、請求項６０に記載の装置。
【請求項６２】
前記ＡＣ電圧が位相変調されていることに応答して、前記コントローラはさらに、対応する制御信号を生成して、発光ダイオードの前記第１の複数のセグメントのうちの前記位相変調されたＡＣ電圧レベルの時間間隔に対応するセグメントを、前記第１の直列発光ダイオード電流経路に含められるように切り替えるように構成される、請求項６０に記載の装置。
【請求項６３】
前記ＡＣ電圧が位相変調されていることに応答して、前記コントローラはさらに、対応する制御信号を生成して発光ダイオードの前記第１の複数のセグメントのうちの次のセグメントを第２のスイッチによって前記第１の直列発光ダイオード電流経路に含められるように切り替えるのと同時に第１のスイッチによって並列した第２の発光ダイオード電流経路を維持するように構成される、請求項６０に記載の装置。
【請求項６４】
前記コントローラはさらに、発光ダイオードの前記第１の複数のセグメントのうちの次のセグメントを前記第１の直列発光ダイオード電流経路に含められるように切り替える場合に発光ダイオード電流レベルが所定のピーク・レベルに達するのに十分な時間が前記ＡＣ電圧間隔の前記第１の部分に残っているかどうかを判定するように構成される、請求項４７に記載の装置。
【請求項６５】
前記発光ダイオード電流が前記所定のピーク・レベルに達するのに十分な時間が前記ＡＣ電圧間隔の前記第１の部分に残っていることに応答して、前記コントローラはさらに、対応する制御信号を生成して発光ダイオードの前記第１の複数のセグメントのうちの前記次のセグメントを前記第１の直列発光ダイオード電流経路に含められるように切り替えるように構成される、請求項６４に記載の装置。
【請求項６６】
前記ＡＣ電圧間隔の前記第２の部分の間に、前記発光ダイオード電流レベルが所定のピーク・レベルよりも所定のマージンだけ高いことに応答して、前記コントローラはさらに、前記第２のパラメータの新しい値を求めて記憶し、対応する制御信号を生成して発光ダイオードの前記第１の複数のセグメントのうちの前記対応するセグメントを前記第１の直列発光ダイオード電流経路に含められるように切り替えるように構成される、請求項４７に記載の装置。
【請求項６７】
前記コントローラはさらに、対応する制御信号を生成して、発光ダイオードの前記第１の複数のセグメントのうちの複数のセグメントを、前記第１の直列発光ダイオード電流経路に並列に第２の直列発光ダイオード電流経路を形成するように切り替えるように構成される、請求項４７に記載の装置。
【請求項６８】
直列に結合された第２の複数の発光ダイオードであって、前記第２の複数の発光ダイオードは、直列に結合された発光ダイオードの第２の複数のセグメントを形成し、発光ダイオードの前記第２の複数のセグメントは直列に結合される、第２の複数の発光ダイオードと、
発光ダイオードの前記第２の複数のセグメントに結合され、かつ発光ダイオードの前記第２の複数のセグメントのうちの選択されたセグメントを第２の直列発光ダイオード電流経路に含められるように切り替えるかあるいは前記第２の直列発光ダイオード電流経路から除外されるように切り替えるように構成されたた第２の複数のスイッチとをさらに備え、
前記コントローラはさらに、前記第２の複数のスイッチに結合され、さらに、対応する制御信号を生成して、発光ダイオードの前記第２の複数のセグメントのうちの複数のセグメントを、前記第１の直列発光ダイオード電流経路と並列に前記第２の直列発光ダイオード電流経路を形成するように切り替えるように構成される、請求項４７に記載の装置。
【請求項６９】
前記第２の直列発光ダイオード電流経路は、前記第１の直列発光ダイオード電流経路と逆の極性を有する、請求項６８に記載の装置。
【請求項７０】
前記第１の直列発光ダイオード電流経路を通る第１の電流の流れが、前記第２の直列発光ダイオード電流経路を通る第２の電流の流れとは逆の方向を有する、請求項６８に記載の装置。
【請求項７１】
前記コントローラはさらに、対応する制御信号を生成して発光ダイオードの前記第１の複数のセグメントのうちの複数のセグメントを、前記ＡＣ電圧の正の極性の間に前記第１の直列発光ダイオード電流経路を形成するように切り替え、対応する制御信号を生成して発光ダイオードの前記第２の複数のセグメントのうちの複数のセグメントを、前記ＡＣ電圧の負の極性の間に前記第２の直列発光ダイオード電流経路を形成するように切り替えるように構成される、請求項６８に記載の装置。
【請求項７２】
前記第１の複数のスイッチは、複数のバイポーラ接合トランジスタまたは複数の電界効果トランジスタを備える、請求項４７に記載の装置。
【請求項７３】
前記第１の複数のスイッチの各スイッチは、発光ダイオードの前記第１の複数のセグメントのうちの対応するセグメントの第１の端子に結合され、かつ発光ダイオードの前記第１の複数のセグメントのうちの最後のセグメントの第２の端子に結合される、請求項４７に記載の装置。
【請求項７４】
前記第１の複数のスイッチに対応して結合された複数の演算増幅器と、
前記第１の複数のスイッチに対応して結合された第２の複数のスイッチと、
前記第１の複数のスイッチに対応して結合された第３の複数のスイッチとを備える複数のトライステート・スイッチをさらに備える、請求項４７に記載の装置。
【請求項７５】
前記第１の複数のスイッチの各スイッチは、発光ダイオードの前記第１の複数のセグメントのうちの対応するセグメントの第１の端子に結合され、かつ発光ダイオードの前記第１の複数のセグメントのうちの前記対応するセグメントの第２の端子に結合される、請求項４７に記載の装置。
【請求項７６】
第２の複数のスイッチをさらに備える、請求項４７に記載の装置。
【請求項７７】
前記第１の複数のスイッチの各スイッチは、発光ダイオードの前記第１の複数のセグメントのうちの前記第１のセグメントの第１の端子に結合され、かつ発光ダイオードの前記第１の複数のセグメントのうちの対応するセグメントの第２の端子に結合され、前記第２の複数のスイッチの各スイッチは、発光ダイオードの前記第１の複数のセグメントのうちの対応するセグメントの第２の端子に結合され、かつ発光ダイオードの前記第１の複数のセグメントのうちの最後のセグメントの第２の端子に結合される、請求項７６に記載の装置。
【請求項７８】
電流制限回路をさらに備える、請求項４７に記載の装置。
【請求項７９】
調光インタフェース回路をさらに備える、請求項４７に記載の装置。
【請求項８０】
前記コントローラに結合されたＤＣ電源回路をさらに備える、請求項４７に記載の装置。
【請求項８１】
温度保護回路をさらに備える、請求項４７に記載の装置。
【請求項８２】
発光ダイオードの前記複数のセグメントのうちの発光ダイオードの選択されたセグメントはそれぞれ、異なる色の発光スペクトルを有する発光ダイオードを備える、請求項４７に記載の装置。
【請求項８３】
前記コントローラはさらに、対応する制御信号を生成して発光ダイオードの前記選択されたセグメントを選択的に前記第１の直列発光ダイオード電流経路に含められるように切り替え、対応する照明効果を実現するように構成される、請求項８２に記載の装置。
【請求項８４】
前記コントローラはさらに、対応する制御信号を生成して発光ダイオードの前記選択されたセグメントを選択的に前記第１の直列発光ダイオード電流経路に含められるように切り替え、対応する色温度を実現するように構成される、請求項８２に記載の装置。
【請求項８５】
前記コントローラはさらに、
第１のセンサに結合可能な第１のアナログ・デジタル変換器と、
第２のセンサに結合可能な第２のアナログ・デジタル変換器と、
デジタル論理回路と、
前記第１の複数のスイッチに対応して結合された複数のスイッチ・ドライバとをさらに備える、請求項４７に記載の装置。
【請求項８６】
前記コントローラは複数のアナログ比較器を備える、請求項４７に記載の装置。
【請求項８７】
前記第１のパラメータおよび前記第２のパラメータは、以下のパラメータ、すなわち、期間、ピーク電流レベル、平均電流レベル、移動平均電流レベル、瞬間電流レベル、ピーク電圧レベル、平均電圧レベル、移動平均電圧レベル、瞬間電圧レベル、平均出力光学輝度レベル、移動平均出力光学輝度レベル、ピーク出力光学輝度レベル、または瞬間出力光学輝度レベルのうちの少なくとも１つを含む、請求項４７に記載の装置。
【請求項８８】
前記第１のパラメータと前記第２のパラメータは同じパラメータである、請求項４７に記載の装置。
【請求項８９】
ＡＣ電圧を受け取るように結合可能な装置であって、
直列に結合された第１の複数の発光ダイオードであって、前記第１の複数の発光ダイオードは、直列に結合された発光ダイオードの第１の複数のセグメントを形成し、発光ダイオードの前記第１の複数のセグメントは直列に結合される、第１の複数の発光ダイオードと、
発光ダイオードの前記第１の複数のセグメントに結合され、かつ制御信号に応答して発光ダイオードの選択されたセグメントを第１の直列発光ダイオード電流経路に含められるように切り替えるかあるいは前記第１の直列発光ダイオード電流経路から除外されるように切り替えるように構成された第１の複数のスイッチと、
センサと、
前記第１の複数のスイッチおよび前記センサに結合され、第１のパラメータに応答して、ＡＣ電圧間隔の第１の部分の間に、第２のパラメータの値を求め、第１の制御信号を生成して発光ダイオードの前記第１の複数のセグメントのうちの発光ダイオードの対応するセグメントを前記第１の直列発光ダイオード電流経路に含められるように切り替え、前記ＡＣ電圧間隔の第２の部分の間に、前記第２のパラメータの現在の値が対応する求められた値に実質的に等しいことに応答して、第２の制御信号を生成して発光ダイオードの前記第１の複数のセグメントのうちの発光ダイオードの対応するセグメントを前記第１の直列発光ダイオード電流経路から除外されるように切り替えるように構成される制御回路とを備える装置。
【請求項９０】
前記第１のパラメータおよび前記第２のパラメータは、時間パラメータ、時間間隔、時間ベースのパラメータ、クロック・サイクル・カウントの少なくとも１つを含む、請求項８９に記載の装置。
【請求項９１】
前記制御回路はさらに、前記ＡＣ電圧間隔の前記第１の部分用の発光ダイオードの第１の複数のセグメントのうちの発光ダイオードのセグメントの数に対応する第１の複数の時間間隔を算出するかあるいはメモリから取得し、かつ前記ＡＣ電圧間隔の第２の部分用の発光ダイオードのセグメントの数に対応する第２の複数の時間間隔を算出するかあるいはメモリから取得するように構成される、請求項９０に記載の装置。
【請求項９２】
前記制御回路はさらに、前記ＡＣ電圧間隔の前記第１の部分の間に、前記第１の複数の時間間隔の各時間間隔が満了したときに、対応する制御信号を生成して発光ダイオードの次のセグメントを前記第１の直列発光ダイオード電流経路に含められるように切り替え、前記ＡＣ電圧間隔の前記第２の部分の間に、前記第２の複数の時間間隔の各時間間隔が満了したときに、逆の順序で、対応する制御信号を生成して発光ダイオードの前記次のセグメントを前記第１の直列発光ダイオード電流経路から除外されるように切り替える、請求項９１に記載の装置。
【請求項９３】
求められた複数の値を記憶するように構成されたメモリをさらに備える、請求項８９に記載の装置。
【請求項９４】
前記第１のパラメータは発光ダイオード電流レベルであり、前記第２のパラメータは電圧レベルであり、前記制御回路はさらに、前記ＡＣ電圧間隔の前記第１の部分の間に、発光ダイオード電流レベルが連続的に所定のレベルに達したことに応答して、前記ＡＣ電圧レベルの対応する値を求めて前記メモリに記憶し、対応する制御信号を連続的に生成して発光ダイオードの前記第１の複数のセグメントのうちの対応するセグメントを前記第１の直列発光ダイオード電流経路に含められるように切り替え、かつ前記ＡＣ電圧間隔の前記第２の部分の間に、前記ＡＣ電圧レベルが対応する電圧レベルまで低下したことに応答して、対応する制御信号を連続的に生成して発光ダイオードの前記第１の複数のセグメントのうちの前記対応するセグメントを前記第１の直列発光ダイオード電流経路から除外されるように切り替えるように構成される、請求項９３に記載の装置。
【請求項９５】
前記第１のパラメータと前記第２のパラメータは、電圧レベルまたは電流レベルを含む同じパラメータであり、前記制御回路はさらに、前記ＡＣ電圧間隔の前記第１の部分の間に、前記電圧レベルまたは電流レベルが連続的に所定のレベルに達したことに応答して、対応する制御信号を連続的に生成して発光ダイオードの前記第１の複数のセグメントのうちの対応するセグメントを前記第１の直列発光ダイオード電流経路に含められるように切り替え、かつ前記ＡＣ電圧間隔の前記第２の部分の間に、前記電圧レベルまたは電流レベルが対応するレベルまで低下したことに応答して、対応する制御信号を連続的に生成して発光ダイオードの前記第１の複数のセグメントのうちの前記対応するセグメントを前記第１の直列発光ダイオード電流経路から除外されるように切り替える、請求項８９に記載の装置。
【請求項９６】
ＡＣ電圧を受け取るように結合可能な装置であって、
整流ＡＣ電圧を生成するように構成された整流器と、
直列に結合された複数の発光ダイオードであって、前記複数の発光ダイオードは、直列に結合された発光ダイオードの複数のセグメントを形成し、発光ダイオードの前記複数のセグメントは直列に結合される、複数の発光ダイオードと、
各々が、発光ダイオードの前記第１の複数のセグメントのうちの対応するセグメントの第１の端子に結合され、かつ発光ダイオードの前記第１の複数のセグメントのうちの最後のセグメントの第２の端子に結合された複数のスイッチと、
発光ダイオード電流レベルを検知するように構成された電流センサと、
整流ＡＣ電圧レベルを検知するように構成された電圧センサと、
複数のパラメータを記憶するように構成されたメモリと、
前記複数のスイッチ、前記メモリ、前記電流センサ、および前記電圧センサに結合され、ＡＣ電圧間隔の第１の部分の間に、前記発光ダイオード電流レベルが所定のピーク発光ダイオード電流レベルに達したことに応答して、前記整流ＡＣ電圧レベルの対応する値を求めて前記メモリに記憶し、対応する制御信号を生成して発光ダイオードの対応するセグメントを直列発光ダイオード電流経路に含められるように切り替え、ＡＣ電圧間隔の第２の部分の間に、前記整流ＡＣ電圧レベルの現在の値が前記整流ＡＣ電圧レベルの前記記憶されている対応する値に実質的に等しいことに応答して、対応する制御信号を生成して発光ダイオードの前記対応するセグメントを前記直列発光ダイオード電流経路から除外されるように切り替えるように構成されたコントローラとを備える装置。
【請求項９７】
少なくとも１つのコンピュータ装置による実行に応答して、前記少なくとも１つのコンピュータ装置に処理をさせる命令が記憶されたコンピュータ可読記憶媒体であって、
直列に結合された複数の発光ダイオードはＡＣ電圧を受け取るように結合可能であり、前記複数の発光ダイオードは発光ダイオードの複数のセグメントを形成し、
前記処理は、
ＡＣ電圧間隔の第１の部分の間に第１のパラメータに応答して、第２のパラメータの値を求めて記憶し、発光ダイオードの対応するセグメントを直列発光ダイオード電流経路に含められるように切り替ることと、
前記ＡＣ電圧間隔の第２の部分の間、第２のパラメータを監視し、前記第２のパラメータの現在の値が前記記憶されている値と実質的に等しいことに応答して、発光ダイオードの対応するセグメントを前記直列発光ダイオード電流経路から除外されるように切り替えることを含む、
コンピュータ可読記憶媒体。
【請求項９８】
前記命令は、さらに、前記少なくとも1つのコンピュータ装置に、
整流ＡＣ電圧を生成させ、
前記整流ＡＣ電圧が実質的に零に近い時点を判定させる、請求項９７に記載のコンピュータ可読記憶媒体。
【請求項９９】
前記命令は、さらに、前記少なくとも1つのコンピュータ装置に、前記整流ＡＣ電圧が実質的に零に近い時点を少なくとも一回判定することによって前記ＡＣ電圧間隔を求めさせる、請求項９８に記載のコンピュータ可読記憶媒体。
【請求項１００】
前記命令は、さらに、前記少なくとも1つのコンピュータ装置に、
前記ＡＣ電圧間隔の前記第１の部分用の発光ダイオードのセグメントの数に対応する第１の複数の時間間隔を求めさせ、
前記ＡＣ電圧間隔の前記第２の部分用の発光ダイオードのセグメントの数に対応する第２の複数の時間間隔を求めさせる、請求項９９に記載のコンピュータ可読記憶媒体。
【請求項１０１】
前記命令は、さらに、前記少なくとも１つのコンピュータ装置に、
前記ＡＣ電圧間隔の前記第１の部分の間に、前記第１の複数の時間間隔の各時間間隔が満了したときに、発光ダイオードの次のセグメントを前記直列発光ダイオード電流経路に含められるように切り替えさせ、
前記ＡＣ電圧間隔の前記第２の部分の間に、前記第２の複数の時間間隔の各時間間隔が満了したときに、逆の順序で、発光ダイオードの前記次のセグメントを前記直列発光ダイオード電流経路から除外されるように切り替えさせる、請求項１００に記載のコンピュータ可読記憶媒体。
【請求項１０２】
前記命令は、さらに、前記少なくとも１つのコンピュータ装置に、
前記ＡＣ電圧を整流して整流ＡＣ電圧を生成させる、請求項９７に記載のコンピュータ可読記憶媒体。
【請求項１０３】
前記第１のパラメータは発光ダイオード電流レベルであり、前記第２のパラメータは整流ＡＣ入力電圧レベルである、請求項１０２に記載のコンピュータ可読記憶媒体。
【請求項１０４】
前記命令は、さらに、前記少なくとも１つのコンピュータ装置に、
発光ダイオード電流レベルが前記ＡＣ電圧間隔の前記第１の部分の間に所定のピーク値に達したことに応答して、前記整流ＡＣ入力電圧レベルの第１の値を求めて記憶させ、発光ダイオードの第１のセグメントを前記直列発光ダイオード電流経路に含められるように切り替えさせ、
前記発光ダイオード電流レベルを監視させ、
その後、前記発光ダイオード電流レベルが前記ＡＣ電圧間隔の前記第１の部分の間に前記所定のピーク値に達したことに応答して、前記整流ＡＣ入力電圧レベルの第２の値を求めて記憶させ、発光ダイオードの第２のセグメントを前記直列発光ダイオード電流経路に含められるように切り替えさせる、請求項１０３に記載のコンピュータ可読記憶媒体。
【請求項１０５】
前記命令は、さらに、前記少なくとも１つのコンピュータ装置に、
前記整流ＡＣ電圧レベルを監視させ、
前記整流ＡＣ電圧レベルが、前記ＡＣ電圧間隔の前記第２の部分の間に前記第２の値に達したことに応答して、発光ダイオードの前記第２のセグメントを前記直列発光ダイオード電流経路から除外されるように切り替えさせ、
前記整流ＡＣ電圧レベルが、前記ＡＣ電圧間隔の前記第２の部分の間に前記第１の値に達したことに応答して、発光ダイオードの前記第１のセグメントを前記直列発光ダイオード電流経路から除外されるように切り替えさせる、請求項１０４に記載のコンピュータ可読記憶媒体。
【請求項１０６】
前記命令は、さらに、前記少なくとも１つのコンピュータ装置に、
前記ＡＣ電圧間隔の前記第１の部分の間に、発光ダイオード電流レベルが連続的に所定のピーク値に達したことに応答して、前記整流ＡＣ電圧レベルの対応する値を求めて記憶させ、かつ発光ダイオードの対応するセグメントを前記直列発光ダイオード電流経路に含められるように連続的に切り替えさせ、
前記ＡＣ電圧間隔の前記第２の部分の間に、前記整流ＡＣ電圧レベルが対応する電圧レベルまで低下したことに応答して、発光ダイオードの前記対応するセグメントを前記直列発光ダイオード電流経路から除外されるように切り替えさせる、請求項１０３に記載のコンピュータ可読記憶媒体。
【請求項１０７】
発光ダイオードの前記対応するセグメントは、発光ダイオードの前記対応するセグメントを前記直列発光ダイオード電流経路に含められるように切り替えることと逆の順序で、前記直列発光ダイオード電流経路から除外されるように切り替えられる、請求項１０６に記載のコンピュータ可読記憶媒体。
【請求項１０８】
前記命令は、さらに、前記少なくとも１つのコンピュータ装置に、
発光ダイオード電流レベルが前記ＡＣ電圧間隔の前記第１の部分の間に所定のピーク値に達したことに応答して、前記整流ＡＣ電圧レベルの第１の値を求めて記憶させ、
前記整流ＡＣ電圧レベルの前記第１の値が実質的に所定の電圧しきい値以上であることに応答して、発光ダイオードの前記対応するセグメントを前記直列発光ダイオード電流経路に含められるように切り替えさせる、請求項１０３に記載のコンピュータ可読記憶媒体。
【請求項１０９】
前記命令は、さらに、前記少なくとも１つのコンピュータ装置に、
前記ＡＣ電圧が位相変調されているかどうかを判定させる、請求項９７に記載のコンピュータ可読記憶媒体。
【請求項１１０】
前記命令は、さらに、前記少なくとも１つのコンピュータ装置に、
前記ＡＣ電圧が位相変調されているときに、位相変調されたＡＣ電圧レベルに対応する発光ダイオードのセグメントを前記直列発光ダイオード電流経路に含められるように切り替えさせる、請求項１０９に記載のコンピュータ可読記憶媒体。
【請求項１１１】
前記命令は、さらに、前記少なくとも１つのコンピュータ装置に、
前記ＡＣ電圧が位相変調されているときに、前記位相変調されたＡＣ電圧の時間間隔に対応する発光ダイオードのセグメントを前記直列発光ダイオード電流経路に含められるように切り替えさせる、請求項１０９に記載のコンピュータ可読記憶媒体。
【請求項１１２】
前記命令は、さらに、前記少なくとも１つのコンピュータ装置に、
前記ＡＣ電圧が位相変調されているときに、発光ダイオードの次のセグメントを第２のスイッチによって前記直列発光ダイオード電流経路に含められるように切り替えるのと同時に第１のスイッチによって並列発光ダイオード電流経路を維持させる、請求項１０９に記載のコンピュータ可読記憶媒体。
【請求項１１３】
前記命令は、さらに、前記少なくとも１つのコンピュータ装置に、
発光ダイオードの次のセグメントを前記直列発光ダイオード電流経路に含められるように切り替えた場合に発光ダイオード電流レベルが所定のピーク値に達するのに十分な時間が前記ＡＣ電圧間隔の前記第１の部分に残っているかどうかを判定させる、請求項９７に記載のコンピュータ可読記憶媒体。
【請求項１１４】
前記命令は、さらに、前記少なくとも１つのコンピュータ装置に、
前記発光ダイオード電流レベルが前記所定のピーク値に達するのに十分な時間が前記ＡＣ電圧間隔の前記第１の部分に残っていることに応答して、発光ダイオードの前記次のセグメントを前記直列発光ダイオード電流経路に含められるように切り替えさせる、請求項１１３に記載のコンピュータ可読記憶媒体。
【請求項１１５】
前記命令は、さらに、前記少なくとも１つのコンピュータ装置に、前記発光ダイオード電流レベルが前記所定のピーク値に達するのに十分な時間が前記ＡＣ電圧間隔の前記第１の部分に残っていないことに応答して、発光ダイオードの前記次のセグメントを前記直列発光ダイオード電流経路に含められるように切り替えさせない、請求項１１３に記載のコンピュータ可読記憶媒体。
【請求項１１６】
前記命令は、さらに、前記少なくとも１つのコンピュータ装置に、
発光ダイオード電流レベルを監視させ、
前記ＡＣ電圧間隔の前記第２の部分の間に、前記発光ダイオード電流レベルが所定のピーク値よりも所定のマージンだけ高いことに応答して、前記第２のパラメータの新しい値を求めて記憶させ、発光ダイオードの対応するセグメントを前記直列発光ダイオード電流経路に含められるように切り替えさせる、請求項９７に記載のコンピュータ可読記憶媒体。
【請求項１１７】
前記命令は、さらに、前記少なくとも１つのコンピュータ装置に、
発光ダイオードの第１の複数のセグメントを第１の直列発光ダイオード電流経路を形成するように切り替えさせ、
発光ダイオードの第２の複数のセグメントを、前記第１の直列発光ダイオード電流経路に並列に第２の直列発光ダイオード電流経路を形成するように切り替えさせる、請求項９７に記載のコンピュータ可読記憶媒体。
【請求項１１８】
前記命令は、さらに、前記少なくとも１つのコンピュータ装置に、
前記ＡＣ電圧間隔の第３の部分の間に、発光ダイオードの第２の複数のセグメントを、前記ＡＣ電圧間隔の前記第１の部分に形成される前記直列発光ダイオード電流経路とは逆の極性を有する第２の直列発光ダイオード電流経路を形成するように切り替えさせ、
前記ＡＣ電圧間隔の第４の部分の間に、発光ダイオードの前記第２の複数のセグメントを前記第２の直列発光ダイオード電流経路から除外されるように切り替えさせる、請求項９７に記載のコンピュータ可読記憶媒体。